(57)【要約】【課題】顧客または操作者の意図しないキャッシュアウトに顧客または操作者が気づかないままとなることを防止する。【解決手段】ＰＯＳ端末１００は、払い出しが要求される払出金額を取得する第１操作表示部１１０またはコードリーダ１４０と、制御部１８０と、を備える。制御部１８０は、第１操作表示部１１０またはコードリーダ１４０が取得した払出金額の現金をカード決済に基づいて払い出すための払出制御を行うとともに、カード決済に基づく現金の払い出しが行われることまたは行われたことを把握できる報知を行うための報知制御を行う。【選択図】図２
2019168959.tif 000002
【特許請求の範囲】
【請求項１】
電子決済に基づいて現金を払い出すための処理が行われる現金処理装置において、
払い出しが要求される払出金額を取得する取得部と、
制御部と、を備え、
前記制御部は、
前記取得部が取得した前記払出金額の現金を電子決済に基づいて払い出すための払出制御を行うとともに、
電子決済に基づく現金の払い出しが行われることまたは行われたことを把握できる報知を行うための報知制御を行う、
ことを特徴とする現金処理装置。
【請求項２】
報知部をさらに備え
前記制御部は、前記報知部に前記報知を行わせる、
ことを特徴とする請求項１に記載の現金処理装置。
【請求項３】
前記制御部は、前記払出金額の電子決済が行われる前および／または当該電子決済が完了した後に前記報知制御を行う、
ことを特徴とする請求項１または２に記載の現金処理装置。
【請求項４】
電子決済に基づく現金の払い出しを承認するための承認操作を受け付ける受付部をさらに備え、
前記制御部は、前記承認操作が行われた場合に前記払出金額の電子決済が行われるよう前記払出制御を行う、
ことを特徴とする請求項１ないし３の何れか一項に記載の現金処理装置。
【請求項５】
前記払出金額が印字された印字媒体を出力する印字部をさらに備え、
前記報知は、前記印字媒体に印字された前記払出金額の確認を顧客に促すことを含む、
ことを特徴とする請求項１ないし４の何れか一項に記載の現金処理装置。
【請求項６】
前記取得部は、金額自体、または、金種とその数量の入力操作を受け付けることにより、前記払出金額を取得する、
ことを特徴とする請求項１ないし５の何れか一項に記載の現金処理装置。
【請求項７】
前記取得部は、前記払出金額が含まれるコードを読み取ることにより、前記払出金額を取得する、
ことを特徴とする請求項１ないし５の何れか一項に記載の現金処理装置。
【請求項８】
電子決済に基づいて現金を払い出すための処理が、現金を受け取る顧客と異なる者の操作により行われる、
ことを特徴とする請求項１ないし７の何れか一項に記載の現金処理装置。
【請求項９】
電子決済に基づく現金の払い出しが行われる現金払出装置であって、
払い出しが要求される払出金額を取得する取得部と、
現金を払い出す現金払出部と、
報知部と、
制御部と、を備え、
前記制御部は、
前記取得部が取得した前記払出金額の現金を電子決済に基づいて前記現金払出部に払い出させるとともに、
電子決済に基づく現金の払い出しが行われることまたは行われたことを把握できる報知を前記報知部に行わせる、
ことを特徴とする現金払出装置。
【請求項１０】
電子決済に基づく現金の払い出しが行われる現金払出システムであって、
払い出しが要求される払出金額を取得する取得部と、
現金を払い出す現金払出部と、
報知部と、
制御部と、を備え、
前記制御部は、
前記取得部が取得した前記払出金額の現金を電子決済に基づいて前記現金払出部に払い出させるとともに、
電子決済に基づく現金の払い出しが行われることまたは行われたことを把握できる報知を前記報知部に行わせる、
ことを特徴とする現金払出システム。
【請求項１１】
払い出しが要求される払出金額を取得し、
取得した前記払出金額の現金を電子決済に基づいて払い出すための払出制御を行い、
電子決済に基づく現金の払い出しが行われることまたは行われたことを把握できる報知を行うための報知制御を行う、
ことを特徴とする現金処理方法。
【請求項１２】
電子決済に基づいて現金を払い出すための処理が行われる現金処理装置のコンピュータに、
払い出しが要求される払出金額を取得する機能と、
取得した前記払出金額の現金を電子決済に基づいて払い出すための払出制御を行う機能と、
電子決済に基づく現金の払い出しが行われることまたは行われたことを把握できる報知を行うための報知制御を行う機能と、を実行させる、
ことを特徴とするプログラム。
【発明の詳細な説明】
【技術分野】
【０００１】
本発明は、現金の払い出しに関わる処理を行う現金処理装置に関する。また、本発明は、現金の払い出しを行う現金払出装置および現金払出システムに関する。さらに、本発明は、現金処理方法およびプログラムに関する。
【背景技術】
【０００２】
近年、現金自動預け払い機（ＡＴＭ）が設置されていないスーパーマーケット、コンビニエンスストア等において顧客が手軽に現金を受け取れるよう、ＰＯＳレジ装置（釣銭機にＰＯＳ端末が接続された装置）等、現金決済に基づいて釣銭の払い出しが可能な現金払出装置を利用して銀行等の金融機関に預金された現金を引き出す、いわゆるキャッシュアウトサービスが考えられている。このようなキャッシュアウトサービスが可能なキャッシュアウトシステムが、たとえば、特許文献１に記載されている。
【０００３】
なお、以下、キャッシュアウトサービスによる現金の引き出しを、「キャッシュアウト」と称することとする。
【先行技術文献】
【特許文献】
【０００４】
【特許文献１】特許第４２１０６８８号公報
【発明の概要】
【発明が解決しようとする課題】
【０００５】
キャッシュアウトサービスでは、上記特許文献１に記載のように、顧客が要求する金額の現金が、デビットカード等のペイメントカードによるカード決済（電子決済）に基づいて現金払出装置から払い出される。よって、現金払出装置でキャッシュアウトを行う際に顧客が行う手続内容は、商品やサービスの代金をペイメントカードで支払う際に顧客が行う手続内容と同じであり、顧客は、店員等の現金払出装置の操作者にペイメントカードを渡して認証の手続きを行うことになる。
【０００６】
このため、操作者の操作ミスなどにより、顧客が意図しないところで顧客が気づかないまま代金のカード決済と同時にキャッシュアウトが行われてしまう、ということが起こり得る。そして、操作者に忘れられるなどすることにより、キャッシュアウトされた現金が顧客に渡されないままにされることが起こり得る。
【０００７】
そこで、本発明は、顧客または操作者の意図しないキャッシュアウトに顧客または操作者が気づかないままとなることを防止することを目的とする。
【課題を解決するための手段】
【０００８】
本発明の第１の態様は、電子決済に基づいて現金を払い出すための処理が行われる現金処理装置に関する。本態様に係る現金処理装置は、払い出しが要求される払出金額を取得する取得部と、制御部と、を備える。ここで、前記制御部は、前記取得部が取得した前記払出金額の現金を電子決済に基づいて払い出すための払出制御を行うとともに、電子決済に基づく現金の払い出しが行われることまたは行われたことを把握できる報知を行うための報知制御を行う。
【０００９】
たとえば、前記制御部は、前記払出金額の電子決済が行われる前および／または当該電子決済が完了した後に前記報知制御を行う。また、現金処理装置は報知部を備え、前記制御部は、前記報知部に前記報知を行わせる。
【００１０】
上記の構成によれば、顧客または操作者の意図しないキャッシュアウト、即ち電子決済に基づく現金の払い出しが行われ、そのキャッシュアウトに顧客または操作者が気づかないままとなる、ということが起こるのを防止できる。
【００１１】
本態様に係る現金処理装置において、電子決済に基づく現金の払い出しを承認するための承認操作を受け付ける受付部をさらに備える構成が採られ得る。この場合、前記制御部は、前記承認操作が行われた場合に前記払出金額の電子決済が行われるよう前記払出制御を行う。
【００１２】
上記の構成によれば、キャッシュアウトを行うことの承認を顧客から得て初めてキャッシュアウトが行われるので、顧客または操作者が意図せずにキャッシュアウトが行われることをより一層防止できる。
【００１３】
本態様に係る現金処理装置において、前記払出金額が印字された印字媒体を出力する印字部をさらに備える構成が採られ得る。この場合、前記報知は、前記印字媒体に印字された前記払出金額の確認を顧客に促すことを含む。
【００１４】
上記の構成によれば、払い出された金額よりも少ない金額の現金を渡されたとき、顧客がそれに気づかず、本来受け取るべき金額の現金が受け取れない、ということが起こるのを防止できる。
【００１５】
本態様に係る現金処理装置において、前記取得部は、金額自体、または、金種とその数量の入力操作を受け付けることにより、前記払出金額を取得するような構成とされ得る。
【００１６】
上記の構成によれば、操作者が所望の金額を現金処理装置に直接入力できる。
【００１７】
本態様に係る現金処理装置において、前記取得部は、前記払出金額が含まれるコードを読み取ることにより、前記払出金額を取得するような構成とされ得る。
【００１８】
上記の構成によれば、操作者が金額入力を直接行わなくてよく、入力ミスによる払出金額の誤りが生じにくい。
【００１９】
本態様に係る現金処理装置において、電子決済に基づいて現金を払い出すための処理が、現金を受け取る顧客と異なる者の操作により行われる構成が採られ得る。
【００２０】
上記の構成によれば、顧客または操作者の意図しないキャッシュアウト、即ち電子決済に基づく現金の払い出しが顧客とは異なる操作者の操作により行われた場合に、そのキャッシュアウトに顧客または操作者が気づかないままとなる、ということが起こるのを防止できる。
【００２１】
本発明の第２の態様は、電子決済に基づく現金の払い出しが行われる現金払出装置に関する。本態様に係る現金払出装置は、払い出しが要求される払出金額を取得する取得部と、現金を払い出す現金払出部と、報知部と、制御部と、を備える。ここで、前記制御部は、前記取得部が取得した前記払出金額の現金を電子決済に基づいて前記現金払出部に払い出させるとともに、電子決済に基づく現金の払い出しが行われることまたは行われたことを把握できる報知を前記報知部に行わせる。
【００２２】
上記の構成によれば、第１の態様に係る現金処理装置を同様の作用効果を奏することができる。
【００２３】
本発明の第３の態様は、電子決済に基づく現金の払い出しが行われる現金払出システムに関する。本態様に係る現金払出システムは、払い出しが要求される払出金額を取得する取得部と、現金を払い出す現金払出部と、報知部と、制御部と、を備える。ここで、前記制御部は、前記取得部が取得した前記払出金額の現金を電子決済に基づいて前記現金払出部に払い出させるとともに、電子決済に基づく現金の払い出しが行われることまたは行われたことを把握できる報知を前記報知部に行わせる。
【００２４】
上記の構成によれば、第１の態様に係る現金処理装置を同様の作用効果を奏することができる。
【００２５】
本発明の第４の態様に係る現金処理方法は、払い出しが要求される払出金額を取得し、取得した前記払出金額の現金を電子決済に基づいて払い出すための払出制御を行い、電子決済に基づく現金の払い出しが行われることまたは行われたことを把握できる報知を行うための報知制御を行う。
【００２６】
上記の方法によれば、第１の態様に係る現金処理装置と同様の作用効果を奏することができる。
【００２７】
本発明の第５の態様に係るプログラムは、電子決済に基づいて現金を払い出すための処理が行われる現金処理装置のコンピュータに、払い出しが要求される払出金額を取得する機能と、取得した前記払出金額の現金を電子決済に基づいて払い出すための払出制御を行う機能と、電子決済に基づく現金の払い出しが行われることまたは行われたことを把握できる報知を行うための報知制御を行う機能と、を実行させる。
【００２８】
上記の構成によれば、第１の態様に係る現金処理装置を同様の作用効果を奏することができる。
【発明の効果】
【００２９】
本発明によれば、顧客または操作者の意図しないキャッシュアウトに顧客または操作者が気づかないままとなることを防止できる。
【００３０】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００３１】
【図１】図１は、実施の形態に係る、ＰＯＳレジ装置の構成を示す図である。
【図２】図２は、実施の形態に係る、ＰＯＳレジ装置の構成を示すブロック図である。
【図３】図３は、実施の形態に係る、現金払出処理を示すフローチャートである。
【図４】図４（ａ）は、実施の形態に係る、第１操作表示部に表示される金額入力画面の一例を示す図であり、図４（ｂ）は、実施の形態に係る、キャッシュアウトカードの一例を示す図である。
【図５】図５（ａ）は、実施の形態に係る、キャッシュアウトの払出金額のみがカード決済されたときのレシートの一例を示す図であり、図５（ｂ）は、実施の形態に係る、キャッシュアウトの払出金額と商品代金とがカード決済されたときのレシートの一例を示す図である。
【図６】図６（ａ）は、実施の形態に係る、キャッシュアウトサービスを利用する旨のメッセージが表示された第２操作表示部を示す図であり、図６（ｂ）は、キャッシュアウトサービスを利用する旨のメッセージが表示された第１操作表示部を示す図である。図６（ｃ）は、実施の形態に係る、キャッシュアウトの払出金額の確認を促すメッセージが表示された第２操作表示部を示す図であり、図６（ｄ）は、キャッシュアウトの払出金額の確認を促すメッセージが表示された第１操作表示部を示す図である。
【図７】図７は、変更例１に係る、現金払出処理を示すフローチャートである。
【図８】図８は、変更例１に係る、キャッシュアウト承認画面が表示された第２操作表示部を示す図である。
【図９】図９（ａ）および（ｂ）は、変更例２に係る、第２操作表示部に表示される割り勘釣銭キャッシュアウト指定画面の一例を示す図である。
【発明を実施するための形態】
【００３２】
以下、本発明の実施の形態について、図面を参照して説明する。
【００３３】
なお、本実施の形態では、説明の都合上、電子決済の一例としてカード決済を取り上げて説明を行う。
【００３４】
以下の実施の形態において、ＰＯＳレジ装置１０が、特許請求の範囲に記載の「現金払出装置」および「現金払出システム」に対応する。また、ＰＯＳ端末１００が、特許請求の範囲に記載の「現金処理装置」に対応する。さらに、第１操作表示部１１０およびコードリーダ１４０が、特許請求の範囲に記載の「取得部」に対応する。さらに、第２操作表示部１２０が、特許請求の範囲に記載の「報知部」および「受付部」に対応する。さらに、音出力部１６０が、特許請求の範囲に記載の「報知部」に対応する。さらに、紙幣処理ユニット２１０および硬貨処理ユニット２２０が、特許請求の範囲に記載の「現金払出部」に対応する。さらに、レシートＲ１が、特許請求の範囲に記載の「印字媒体」に対応する。
【００３５】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００３６】
図１は、本実施の形態に係る、ＰＯＳレジ装置１０の構成を示す図である。図２は、本実施の形態に係る、ＰＯＳレジ装置１０の構成を示すブロック図である。
【００３７】
ＰＯＳレジ装置１０は、ＰＯＳ端末１００と釣銭機２００とを組み合わせた装置であり、たとえば、スーパーマーケット、コンビニエンスストア等の小売店の店舗内に設置されたレジカウンタに配置され、店員により操作される。なお、ＰＯＳレジ装置１０は、ＰＯＳ端末１００と釣銭機２００とで構成されるＰＯＳレジシステムと言うこともできる。
【００３８】
ＰＯＳレジ装置１０は、商品の代金として顧客から支払われた現金の金額について現金決済を行い、釣銭が生じたときにその釣銭を払い出す現金会計機能を有する。また、ＰＯＳレジ装置１０は、商品の代金について、クレジットカード、デビットカード等のペイメントカードを利用したカード決済を行うカード会計機能を有する。さらに、ＰＯＳレジ装置１０は、顧客が払い出しを要求する金額について、デビットカードを利用したカード決済（デビット決済）を行い、カード決済に基づいて金融機関の預金口座から引き落とされた金額の現金を払い出すキャシュアウトサービスの機能（キャッシュアウト機能）を有する。顧客は、ＰＯＳレジ装置１０を利用して、自身の預金口座から現金を引き出すことができる。ＰＯＳレジ装置１０でのキャッシュアウトサービスによる現金の払い出しは、店員等の顧客と異なる者の操作により行われるものである。
【００３９】
なお、ＰＯＳレジ装置１０は、他の施設、たとえば、レストラン、居酒屋等の飲食店の店舗内に設置されたレジカウンタにも配置され得る。また、ＰＯＳレジ装置１０への顧客の支払いの対象が、サービスの代金となる場合もある。
【００４０】
ＰＯＳレジ装置１０は、店舗管理サーバー２０とＬＡＮ回線等の通信回線３０により接続されており、通信回線３０を介して店舗管理サーバー２０と通信可能である。店舗管理サーバー２０は、ＰＯＳレジ装置１０の在高の管理、店舗の売上高の管理、商品在庫の管理などを行う。店舗管理サーバー２０は、ＰＯＳレジ装置１０と同じ店舗内に配置され得る。この場合、同じ店舗内の複数のＰＯＳレジ装置１０が店舗管理サーバー２０に接続され得る。また、店舗管理サーバー２０は、ＰＯＳレジ装置１０の店舗とは離れた場所に配置され得る。この場合、複数の店舗に配置された一つまたは複数のＰＯＳレジ装置１０が店舗管理サーバー２０に接続され得る。
【００４１】
店舗管理サーバー２０は、銀行等の金融機関に配置された管理サーバー４０とインターネットＶＰＮ回線等の通信回線５０により接続されており、通信回線５０を介して管理サーバー４０と通信可能である。管理サーバー４０は、店舗管理サーバー２０を通じて商品の代金またはキャッシュアウトサービスによる払出金額をカード決済（デビット決済）する依頼を受けると、依頼された金額に対してカード決済を行う。カード決済が行われた金額が、その金額の現金を引き出した顧客の預金口座から引き落とされる。
【００４２】
次に、ＰＯＳレジ装置１０の構成について詳細に説明する。
【００４３】
ＰＯＳレジ装置１０は、ＰＯＳ端末１００と、釣銭機２００と、決済端末３００とを備える。ＰＯＳ端末１００は、釣銭機２００の上に設置される。釣銭機２００は、通信ケーブル４０１によりＰＯＳ端末１００と接続され、決済端末３００は、通信ケーブル４０２によりＰＯＳ端末１００と接続される。なお、ＰＯＳ端末１００と釣銭機２００は、離れて置かれていてもよい。
【００４４】
ＰＯＳ端末１００は、顧客が購入する商品から商品名、価格等の情報を収集して合計金額を計算するとともに、釣銭機２００が受け付けた顧客からの支払額と合計金額とから釣銭額を計算し、釣銭額があれば釣銭機２００に通知する。また、ＰＯＳ端末１００は、商品の売上情報を店舗管理サーバー２０に送る。さらに、ＰＯＳ端末１００は、キャッシュアウトサービスによる現金の払い出し（以下、「キャッシュアウト」という）、即ちカード決済に基づく現金の払い出しのための処理を行う。
【００４５】
ＰＯＳ端末１００は、第１操作表示部１１０と、第２操作表示部１２０と、操作部１３０と、コードリーダ１４０と、印字部１５０と、音出力部１６０と、通信部１７０と、制御部１８０と、記憶部１９０とを含む。ＰＯＳ端末１００には、上面に操作部１３０が設けられ、上面の操作部１３０の後方に第１操作表示部１１０と第２操作表示部１２０とが設けられる。第１操作表示部１１０は、ＰＯＳ端末１００の操作者、即ち店員用であり、正面やや斜め上方に向けられる。第２操作表示部１２０は、顧客用であり、レジカウンタを通る顧客が見やすく操作しやすい方向に向けられる。また、ＰＯＳ端末１００には、第１操作表示部１１０の隣にレシートの排出口１０１が設けられる。
【００４６】
第１操作表示部１１０および第２操作表示部１２０は、ディスプレイとタッチセンサとからなるタッチパネルで構成され、ディスプレイに各種の画像（画面）を表示するとともに、ディスプレイに対する操作者（店員、顧客）のタッチ操作をタッチセンサにより検出する。操作部１３０は、多数のキーにより構成され、操作者によるキー操作を受け付ける。
【００４７】
コードリーダ１４０は、信号ケーブル１４１でＰＯＳ端末１００の本体と繋がっており、商品に付されたバーコードを読み取ることにより、商品の名称、価格等の情報を取得する。また、キャッシュアウトがキャッシュアウトカードにより行われる場合、コードリーダ１４０は、キャッシュアウトカードに付されたバーコードを読み取ることにより、払出金額等の情報を取得する。
【００４８】
印字部１５０は、取引内容が印字されたレシートを排出口１０１から出力する。音出力部１６０は、スピーカを含み、音声、ビープ音等の音を出力する。通信部１７０は、店舗管理サーバー２０の通信部（図示せず）との間で通信回線３０を通じた情報通信を行う。
【００４９】
記憶部１９０は、ＲＯＭ（Read Only Memory）、ＲＡＭ（Random Access Memory）などを備え、制御部１８０の動作プログラムを記憶し、また、制御部１８０の制御処理の際にワーク領域として利用される。動作プログラムには、コンピュータである制御部１８０が、後述する現金払出処理を実行するためのプログラムが含まれる。
【００５０】
制御部１８０は、ＣＰＵ（Central Processing Unit）等の演算回路を備え、記憶部１９０に記憶された動作プログラムに従って、ＰＯＳ端末１００の各部（第１操作表示部１１０、第２操作表示部１２０、操作部１３０、コードリーダ１４０、印字部１５０、音出力部１６０、通信部１７０等）を制御する。
【００５１】
釣銭機２００は、顧客が支払った現金を収納するとともに、その支払額をＰＯＳ端末１００に通知し、ＰＯＳ端末１００から釣銭額の通知があると、その釣銭額の現金を自動で払い出す。また、釣銭機２００は、ＰＯＳ端末１００から通知された払出金額のキャッシュアウトを行う。
【００５２】
釣銭機２００は、紙幣処理ユニット２１０と、硬貨処理ユニット２２０と、制御部２３０と、記憶部２４０とを含む。釣銭機２００には、前部に、紙幣挿入口２０１、紙幣払出口２０２、硬貨投入口２０３および硬貨払出口２０４が設けられる。
【００５３】
紙幣処理ユニット２１０は、紙幣の金種を識別する識別部（図示せず）と、金種別に紙幣が収納される紙幣収納部（図示せず）と、紙幣が搬送される搬送部（図示せず）とを備える。紙幣処理ユニット２１０は、釣銭機２００への入金の際には、紙幣挿入口２０１に挿入された紙幣を搬送部により搬送して紙幣収納部に収納し、釣銭機２００からの出金の際には、紙幣収納部から出された紙幣を搬送部により搬送して紙幣払出口２０２に払い出す。
【００５４】
硬貨処理ユニット２２０は、硬貨の金種を識別する識別部（図示せず）と、金種別に硬貨が収納される硬貨収納部（図示せず）と、硬貨が搬送される搬送部（図示せず）とを備える。硬貨処理ユニット２２０は、釣銭機２００への入金の際には、硬貨投入口２０３に投入された硬貨を搬送部により搬送して硬貨収納部に収納し、釣銭機２００からの出金の際には、硬貨収納部から出された硬貨を搬送部により搬送して硬貨払出口２０４に払い出す。
【００５５】
記憶部２４０は、ＲＯＭ（Read Only Memory）、ＲＡＭ（Random Access Memory）などを備え、制御部２３０の動作プログラムを記憶し、また、制御部２３０の制御処理の際にワーク領域として利用される。
【００５６】
制御部２３０は、ＣＰＵ（Central Processing Unit）等の演算回路を備え、記憶部２４０に記憶された動作プログラムに従って、釣銭機２００の各部（紙幣処理ユニット２１０、硬貨処理ユニット２２０等）を制御する。制御部２３０は、ＰＯＳ端末１００の制御部１８０と通信ケーブル４０１を通じて通信できる。
【００５７】
決済端末３００は、ペイメントカードを利用したカード決済に用いられる。決済端末３００は、表示部３１０と、操作部３２０と、カードリーダ３３０と、通信部３４０と、制御部３５０と、記憶部３６０とを含む。決済端末３００には、カード挿入口３０１からペイメントカードが挿入される。
【００５８】
表示部３１０は、たとえば、液晶ディスプレイであり、カード決済に関わる各種情報を表示する。操作部３２０は、テンキーで構成され、ＰＩＮコード（個人識別番号）等の入力操作を受け付ける。カードリーダ３３０は、カード挿入口３０１に挿入されたペイメントカードからカードＩＤ等の情報を読み取る。通信部３４０は、店舗管理サーバー２０の通信部（図示せず）との間で、無線による情報通信を行う。
【００５９】
記憶部３６０は、ＲＯＭ（Read Only Memory）、ＲＡＭ（Random Access Memory）などを備え、制御部３５０の動作プログラムを記憶し、また、制御部３５０の制御処理の際にワーク領域として利用される。
【００６０】
制御部３５０は、ＣＰＵ（Central Processing Unit）等の演算回路を備え、記憶部３６０に記憶された動作プログラムに従って、決済端末３００の各部（表示部３１０、操作部３２０、カードリーダ３３０、通信部３４０等）を制御する。制御部３５０は、ＰＯＳ端末１００の制御部１８０と通信ケーブル４０２を通じて通信できる。
【００６１】
次に、ＰＯＳレジ装置１０のキャッシュアウト機能について説明する。キャッシュアウト機能のために、ＰＯＳ端末１００の制御部１８０によって現金払出処理が実行される。
【００６２】
図３は、本実施の形態に係る、現金払出処理を示すフローチャートである。
【００６３】
制御部１８０は、キャッシュアウトの払出金額を入力する操作（以下、「金額入力操作」という）が行われたか否かを監視する（Ｓ１０１）。金額入力操作は、ＰＯＳレジ装置１０を操作する操作者（店員）により行われる。
【００６４】
金額入力操作として、各種の形態が挙げられる。
【００６５】
図４（ａ）は、本実施の形態に係る、第１操作表示部１１０に表示される金額入力画面ＳＣ１の一例を示す図であり、図４（ｂ）は、本実施の形態に係る、キャッシュアウトカードの一例を示す図である。
【００６６】
たとえば、金額入力操作として、操作者が、キャッシュアウトの払出金額を第１操作表示部１１０上で入力する形態を挙げることができる。この場合、制御部１８０は、たとえば、第１操作表示部１１０に、図４（ａ）に示すような金額入力画面ＳＣ１を表示させる。金額入力画面ＳＣ１は、入力ボックスＢ１と、テンキーＫ１と、完了キーＫ２とを含む。操作者は、テンキーＫ１を用いて、入力ボックスＢ１に金額自体（金額の数字）を入力し、完了キーＫ２を押す。これにより、第１操作表示部１１０が払出金額を受け付ける（取得する）。なお、入力ボックスＢ１は、金額自体でなく、金種とその数量が入力されるものであってもよい。
【００６７】
また、キャッシュアウトサービスのために、払出金額ごとのキャッシュアウトカード、たとえば、１０，０００円、５，０００円、１，０００の金額のキャッシュアウトカードを用意することができる。キャッシュアウトカードは、たとえば、店舗内の陳列棚に陳列される。図４（ｂ）に示すように、キャッシュアウトカードには、このカードにより払い出される払出金額が表示されている。また、キャッシュアウトカードには、バーコードが付されている。バーコードには、払出金額およびキャッシュアウトカードを識別するためのカードＩＤが含まれる。なお、キャッシュアウトカードに付されるコードは、バーコードでなく、その他のコード、たとえば、ＱＲコード（登録商標）であってもよい。
【００６８】
キャッシュアウトカードが用いられる場合、金額入力操作として、操作者は、キャッシュアウトカードに付されたバーコードをコードリーダ１４０で読み取る操作を行う。コードリーダ１４０は、バーコードを読み取ることで、バーコードに含まれた払出金額とカードＩＤを取得する。なお、コードリーダ１４０が取得したとき、払出金額とカードＩＤは、これらを表すコードの形態をとっており、これらが制御部１８０に取得される際、変換データ（変換テーブル）を用いて、払出金額およびカードＩＤそのものに変換される。
【００６９】
その他、金額入力操作として、キャッシュアウトカードを用いる場合と同様、払出可能な金額が、１０，０００円、５，０００円、１，０００円というように決められている場合、金額入力操作として、各払出金額とそれに対応するバーコードが表示されたリストボードがレジカウンタに用意され、操作者がリストボードのバーコードをコードリーダ１４０に読み取らせる、というような形態をとることができる。あるいは、金額入力操作として、各払出金額に対応する複数の金額キーが含まれた金額選択画面が第１操作表示部１１０に表示され、操作者が何れかの金額キーを押す、というような形態をとることもできる。
【００７０】
キャッシュアウトのための金額入力操作が行われると（Ｓ１０１：ＹＥＳ）、制御部１８０は、入力された払出金額を取得する（Ｓ１０２）。
【００７１】
次に、制御部１８０は、キャッシュアウトのためのデビット決済を要求する操作（以下、「決済要求操作」という）がなされたか否かを監視する（Ｓ１０３）。決済要求操作のため、たとえば、ＰＯＳ端末１００の操作部１３０に、キャッシュアウトのためのデビット決済を要求するキャッシュアウト決済キーと、キャッシュアウトのためのデビット決済と商品購入のためのデビット決済の双方を要求するキャッシュアウト・商品決済キーとが設けられる。顧客が、操作者へキャッシュアウトの依頼のみを行った場合、操作者は、決済要求操作として、キャッシュアウト決済キーを押す。
【００７２】
一方、顧客が、操作者へキャッシュアウトの依頼を行うとともに、商品を購入し、商品の代金をデビットカードで支払う依頼を行う場合がある。この場合、操作者は、キャッシュアウトのための金額入力操作を行うとともに、購入される商品に付されたバーコードをコードリーダ１４０で読み取る。バーコードから取得した各商品の金額に基づいて、ＰＯＳ端末１００が商品の合計金額を計算する。操作者は、ＰＯＳ端末１００による商品の合計金額の計算が終了した後に、決済要求操作として、キャッシュアウト・商品決済キーを押す。
【００７３】
決済要求操作が行われると（Ｓ１０３：ＹＥＳ）、制御部１８０は、キャッシュアウトサービスを利用する旨の報知を音出力部１６０に行わせる（Ｓ１０４）。たとえば、音出力部１６０から、“キャッシュアウトサービスを利用します”との音声が出力される。これにより、顧客は、キャッシュアウト、即ちデビット決済に基づく現金の払い出しが行われることを把握できる。顧客は、依頼をしていないにも関わらず、意図していないところでキャッシュアウトが行われようとしている場合、キャッシュアウトを中止するように、操作者に申し出ることができる。また、操作者も、キャッシュアウトが行われることを把握でき、操作ミスである場合に、キャッシュアウトを中止できる。
【００７４】
その後、制御部１８０は、決済端末３００に払出金額を通知してカード決済を要求する（Ｓ１０５）。なお、決済要求操作として、キャッシュアウト・商品決済キーが押された場合は、商品代金をカード決済する要求とカード決済される商品代金（合計金額）も、決済端末３００に送られる。
【００７５】
カード決済の要求を受けた決済端末３００では、顧客のデビッドカードがカード挿入口３０１に挿入され、カードＩＤがカードリーダ３３０で読み取られる。また、操作部３２０でＰＩＮコードが入力される。制御部３５０は、カード決済の対象となる払出金額（あるいは、払出金額と商品代金の合計金額）をカードＩＤおよびＰＩＮコードとともに、通信部３４０を通じて店舗管理サーバー２０へ送信する。店舗管理サーバー２０は、払出金額、カードＩＤおよびＰＩＮコードを管理サーバー４０へ送信し、管理サーバー４０からカード決済の完了の返信があると、完了の旨を決済端末３００に送信する。制御部３５０は、カード決済の完了を、ＰＯＳ端末１００の制御部１８０に通知する。
【００７６】
決済端末３００から決済の完了が通知されると（Ｓ１０６：ＹＥＳ）、制御部１８０は、払出金額の現金の払い出し、即ちキャッシュアウトを行う（Ｓ１０７）。そして、制御部１８０は、印字部１５０に、レシート用紙への明細書の印字、即ち払出金額の印字を行わせる（Ｓ１０８）。印字部１５０は、明細書（キャッシュアウトの払出金額）が印字されたレシートＲ１を出力する。
【００７７】
図５（ａ）は、本実施の形態に係る、キャッシュアウトの払出金額のみがカード決済されたときのレシートＲ１の一例を示す図であり、図５（ｂ）は、本実施の形態に係る、キャッシュアウトの払出金額と商品代金とがカード決済されたときのレシートＲ１の一例を示す図である。
【００７８】
キャッシュアウトの払出金額のみがカード決済された場合、図５（ａ）のように、明細書のみが印字されたレシートＲ１が印字部１５０により出力される。一方、キャッシュアウトの払出金額と商品代金とがカード決済された場合、レシート用紙に明細書が印字されるときに、同時に商品に係る領収証も印字される。このため、図５（ｂ）のように、領収証と明細書とが印字されたレシートＲ１が印字部１５０により出力される。なお、領収書が印字されたレシートと明細書が印字されたレシートとが、別々に出力されてもよい。
【００７９】
印字部１５０によりレシートＲ１が出力されると、制御部１８０は、レシートＲ１上でのキャッシュアウトの払出金額の確認を促す報知を音出力部１６０に行わせる（Ｓ１０９）。たとえば、音出力部１６０から、“レシートのキャッシュアウト金額を確認してください”との音声が出力される。これにより、顧客は、キャッシュアウトが行われたことを把握できる。よって、顧客は、自身がキャッシュアウトの依頼を行っていない場合、キャッシュアウトの取消を申し出るか、キャッシュアウトされてしまった現金を確実に受け取ることができる。また、顧客自身がキャッシュアウトを依頼した場合に、レシートＲ１に記載されたキャッシュアウトの払出金額を忘れずに確認でき、払出金額が顧客の受け取った現金の金額と同じであるかを確認できる。また、操作者は、払出金額の現金を間違いなく顧客に渡したかを確認できる。
【００８０】
図６（ａ）は、本実施の形態に係る、キャッシュアウトサービスを利用する旨のメッセージが表示された第２操作表示部１２０を示す図であり、図６（ｂ）は、キャッシュアウトサービスを利用する旨のメッセージが表示された第１操作表示部１１０を示す図である。図６（ｃ）は、本実施の形態に係る、キャッシュアウトの払出金額の確認を促すメッセージが表示された第２操作表示部１２０を示す図であり、図６（ｄ）は、キャッシュアウトの払出金額の確認を促すメッセージが表示された第１操作表示部１１０を示す図である。
【００８１】
Ｓ１０４のキャッシュアウトサービスを利用する旨の報知は、音出力部１６０からの音声による報知に加えてあるいは替えて、顧客用である第２操作表示部１２０を用いても行うことができる。この場合、図５（ａ）に示すように、制御部１８０は、キャッシュアウトサービスを利用する旨のメッセージ、たとえば、“キャッシュアウトサービスを利用します”とのメッセージを、第２操作表示部１２０に表示させる。なお、キャッシュアウトサービスを利用する旨の報知を、第２操作表示部１２０での報知に加えて、図５（ｂ）のように、操作者用である第１操作表示部１１０でも行うことができる。このようにすれば、操作者も、第１操作表示部１１０上でキャッシュアウトが行われることを把握できる。
【００８２】
また、Ｓ１０９のキャッシュアウトの払出金額の確認を促す報知は、音出力部１６０からの音声による報知に加えてあるいは替えて、第２操作表示部１２０を用いても行うことができる。この場合、制御部１８０は、キャッシュアウトの払出金額の確認を促すメッセージ、たとえば、“レシートのキャッシュアウト金額を確認してください”とのメッセージを、第２操作表示部１２０に表示させる。なお、キャッシュアウトの払出金額の確認を促す旨の報知を、第２操作表示部１２０での報知に加えて、第１操作表示部１１０でも行うことができる。制御部１８０は、キャッシュアウトの払出金額を確認して顧客に渡すことを促すメッセージ、たとえば、図６（ｄ）に示すような、“お客様に１０，０００円をお渡しください”とのメッセージを、第１操作表示部１１０に表示させる。このようにすれば、操作者は、払出金額の現金を間違いなく顧客に渡すことができる。
【００８３】
＜実施の形態の効果＞
本実施の形態によれば、以下の効果が奏され得る。
【００８４】
キャッシュアウトのためのカード決済が行われる前にキャッシュアウトが行われることを顧客が把握できる報知が行われ、カード決済が完了した後にキャッシュアウトが行われたことを顧客が把握できる報知が行われる。これにより、顧客または操作者の意図しないキャッシュアウトが行われ、そのキャッシュアウトに顧客が気づかないままとなる、ということが起こるのを防止できる。
【００８５】
また、キャッシュアウトが行われる旨等の案内を操作者（店員）がアナウンスしなくて良いので、操作者に頼ることなくキャッシュアウトが行われる旨等の案内を確実に顧客に伝えられるとともに、操作者のアナウンスの負担が減り、また、操作者へのアナウンスの教育も軽減される。
【００８６】
さらに、キャッシュアウトによる現金が払い出された際に、レシートＲ１の払出金額の確認を顧客に促す報知が行われるため、ＰＯＳレジ装置１０から払い出された金額よりも少ない金額の現金を渡されたとき、顧客がそれに気づかず、本来受け取るべき金額の現金が受け取れない、ということが起こるのを防止できる。
【００８７】
さらに、キャッシュアウトカードに付されたバーコードが読み取られることにより、払出金額が取得される構成とされた場合には、操作者が金額入力を直接行わなくてよく、入力ミスによる払出金額の誤りが生じにくい。一方、第１操作表示部１１０上で金額自体、または、金種とその数量が入力されることにより、払出金額が取得される構成とされた場合には、顧客が所望の金額をＰＯＳ端末１００に直接入力できる。これにより、所望の金額がないために複数枚のキャッシュカードを利用するということが生じず、それら全てのキャッシュアウトカードから順次、払出金額を取得するという手間が生じない。
【００８８】
以上、本発明の実施の形態について説明したが、本発明は、上記実施の形態によって何ら制限されるものではなく、また、本発明の実施の形態も、以下に示す通り、上記以外に種々の変更が可能である。
【００８９】
＜変更例１＞
上記実施の形態では、キャッシュアウトのためのカード決済が要求される前に、キャッシュアウトサービスを利用する旨の報知が行われた。本変更例では、かかる報知が行われるとともに、キャッシュアウトの手続を継続するための顧客の承認が求められる。
【００９０】
図７は、変更例１に係る、現金払出処理を示すフローチャートである。図８は、変更例１に係る、キャッシュアウト承認画面ＳＣ２が表示された第２操作表示部１２０を示す図である。なお、図７に示す本変更例の現金払出処理では、図３に示す上記実施の形態の現金払出処理のＳ１０４の処理が、Ｓ１１１ないしＳ１１３の処理に置き換えられる。
【００９１】
本変更例では、決済要求操作が行われると（Ｓ１０３：ＹＥＳ）、制御部１８０は、キャッシュアウト承認画面ＳＣ２を第２操作表示部１２０に表示させる（Ｓ１１１）。図８に示すように、キャッシュアウト承認画面ＳＣ２には、キャッシュアウトサービスを利用する旨のメッセージに加えて、顧客が承認操作を行うための承認キーＫ３と、顧客が非承認操作を行うための非承認キーＫ４とが含まれる。
【００９２】
承認キーＫ３による承認操作がなされると（Ｓ１１２：ＹＥＳ）、制御部１８０は、決済端末３００に払出金額を通知してカード決済を要求する（Ｓ１０５）。一方、非承認キーＫ４による非承認操作がなされると（Ｓ１１３：ＹＥＳ）、制御部１８０は、キャッシュアウトの手続きを中止し、現金払出処理を終了させる。
【００９３】
本変更例によれば、キャッシュアウトを行うことの承認を顧客から得て初めてキャッシュアウトが行われるので、顧客または操作者が意図せずにキャッシュアウトが行われることをより一層防止できる。
【００９４】
＜変更例２＞
ＰＯＳレジ装置１０は、レストラン、居酒屋等の飲食店のレジカウンタにも設置され得る。飲食店では、複数人の顧客で飲食がなされ、その飲食代金が割り勘で支払われる場合に、顧客らが割り勘の釣銭に困ることがある。このような場合、飲食代金と割り勘人数に応じた釣銭用のキャッシュアウトの払出金額が計算され、その払出金額のキャッシュアウトが行えると、顧客が飲食店に両替をお願いしたりＡＴＭに釣銭用の現金を引き出しに行ったりしなくて済み、便利である。
【００９５】
そこで、本変更例では、ＰＯＳレジ装置１０が、割り勘用の釣銭のキャッシュアウトを行える機能（以下、「割り勘釣銭キャッシュアウト機能」という）を有する。
【００９６】
図９（ａ）および（ｂ）は、変更例２に係る、第２操作表示部１２０に表示される割り勘釣銭キャッシュアウト指定画面ＳＣ３の一例を示す図である。
【００９７】
ＰＯＳレジ装置１０、即ちＰＯＳ端末１００において、割り勘釣銭キャッシュアウト機能を実行するための操作がなされると、制御部１８０が、第２操作表示部１２０に割り勘釣銭キャッシュアウト指定画面ＳＣ３（以下、「指定画面ＳＣ３」と略する）を表示させる。
【００９８】
指定画面ＳＣ３では、まず、図９（ａ）に示すように、支払金額（飲食代金）が表示されるとともに、割り勘人数を入力する入力ボックスＢ２と、テンキーＫ５と、ＯＫキーＫ６とが表示される。顧客は、テンキーＫ５を用いて入力ボックスＢ２に割り勘人数を入力し、ＯＫキーＫ６を押す。
【００９９】
制御部１８０は、割り勘人数の入力を受け付けて、支払金額と割り勘人数とから顧客一人当たりの支払金額を算出し、この支払金額のときに顧客から出される金額（以下、「顧客支払額」という）を予想する。たとえば、一人当たりの支払金額が５，０００円より大きく１０，０００円より小さい場合、顧客支払額を１０，０００円と予想する。さらに、制御部１８０は、割り勘の釣銭が必要な人数（以下、「釣銭必要人数」という）を、割り勘人数から合計の支払金額を支払う代表者１名を除く人数とし、予想した顧客支払額に基づいて、キャッシュアウト金額、釣銭金額を釣銭必要人数で分けるときに必要な金種毎の貨幣（紙幣、硬貨）の枚数（数量）を算出する。この結果、図９（ｂ）に示すように、指定画面ＳＣ３には、顧客支払額と、釣銭必要人数と、金種毎の貨幣の必要枚数と、キャッシュアウト金額とが表示される。また、指定画面ＳＣ３には、確認キーＫ７が表示される。このとき、指定画面ＳＣ３において、顧客支払額、釣銭必要人数、金種毎の貨幣の必要枚数は、入力ボックスＢ３内に表示され、テンキーＫ５を用いて顧客が数値を変更できるようになされる。顧客は、指定画面ＳＣ３に表示されたキャッシュアウト金額を確認した上で、確認キーＫ７を押す。
【０１００】
制御部１８０は、顧客が割り勘人数を入力し確認キーＫ７を押すまでの一連の操作をＳ１０１の金額入力操作とする現金払出処理（図３参照）を実行する。これにより、割り勘釣銭用の現金がＰＯＳレジ装置１０の釣銭機２００から払い出される。このとき、ＰＯＳ端末１００から金種毎の数量が指定され、釣銭機２００は、指定された数量の金種の貨幣を割り勘釣銭用の現金として払い出す。
【０１０１】
本変更例によれば、キャッシュアウトを利用して、割り勘を行った顧客が容易に釣銭を受け取ることができる。
【０１０２】
＜その他の変更例＞
上記実施の形態では、キャッシュアウトのためのカード決済が行われる前にキャッシュアウトが行われることを顧客が把握できる報知が行われ、カード決済が完了した後にキャッシュアウトが行われたことを顧客が把握できる報知が行われた。
【０１０３】
しかしながら、カード決済前の報知が行われ、カード決済後の報知が行われない構成が採られてもよい。この場合、“キャッシュアウトサービスを利用します”との音出力部１６０からの音声または第２操作表示部１２０でのメッセージの後に、“現金をお受け取りの際、キャッシュアウト金額を確認してください”との音出力部１６０からの音声または第２操作表示部１２０でのメッセージが加えられるとよい。同様に、カード決済前の報知が行われず、カード決済後の報知が行われる構成が採られてもよい。この場合、“レシートのキャッシュアウト金額を確認してください”との音出力部１６０からの音声または第２操作表示部１２０でのメッセージの前に、“キャッシュアウトサービスを利用しました”との音出力部１６０からの音声または第２操作表示部１２０でのメッセージが加えられるとよい。
【０１０４】
また、払出金額に応じてカード決済前の報知とカード決済後の報知とが行われる構成が採られてもよい。たとえば、払出金額が多い（１０，０００円以上等）場合にカード決済前の報知とカード決済後の報知の双方が行われ、払出金額が少ない（１０，０００円未満等）の場合に、上記２つの何れかの報知のみが行われる、あるいは、何れの報知も行われない構成が採られてもよい。
【０１０５】
さらに、上記実施の形態では、デビットカードによるカード決済（デビット決済）に基づいてキャッシュアウトが行われた。しかしながら、他のペイメントカード、たとえば、クレジットカードによるカード決済に基づいてキャッシュアウトが行われてもよい。
【０１０６】
さらに、上記実施の形態では、釣銭機２００は、現金（貨幣）の入出金が自動で行われるものであった。しかしながら、釣銭機２００は、現金（貨幣）を収納するドロアを備え、ドロアに対し操作者（店員）が手動で現金を入出金するものであってもよい。
【０１０７】
さらに、上記実施の形態では、決済端末３００がＰＯＳ端末１００と別に設けられ、ＰＯＳ端末１００に通信ケーブル４０２で接続された。しかしながら、決済端末３００が、決済部としてＰＯＳ端末１００に組み込まれる構成が採られてもよい。この場合、たとえば、決済部は、決済端末３００から制御部３５０と記憶部３６０とを除く構成となり、ＰＯＳ端末１００の制御部１８０と記憶部１９０が、制御部３５０と記憶部３６０の機能を有することとなる。
【０１０８】
さらに、上記実施の形態において、カード端末３００は、挿入口３０１に挿入されたペイメントカード（デビットカード）を端末内部に取り込む機構を有するような構成とされてよい。また、釣銭機２００は、紙幣払出口２０２の紙幣の有無を検出する紙幣検出部を有するとともに硬貨払出口２０４の硬貨の有無を検出する硬貨検出部を有するような構成とされてよい。そして、このような構成とされた場合に、キャッシュアウトにより釣銭機２００に払い出された現金の取り忘れが生じないよう、以下に説明する取出し忘れ防止の制御が、ＰＯＳレジ装置１０において行われることが望ましい。
【０１０９】
即ち、ＰＯＳ端末１００の制御部１８０は、キャッシュアウトにより釣銭機２００から現金が払い出されると、たとえば、紙幣が紙幣払出口２０２に払い出されると、払い出された現金（紙幣、硬貨）が取り出されたか否かを監視する。紙幣検出部および硬貨検出部からの検出結果が釣銭機２００の制御部２３０から制御部１８０に通知され、この通知によって、制御部１８０が現金の取出しを把握できる。現金が取り出されないうちは、デビットカードがカード端末３００内に留まり外部に取り出せない状態となる。釣銭機２００から現金が取り出されると、制御部１８０は、カード端末３００の制御部３５０にカード排出の指令を行う。この指令に基づき、制御部３５０が、カード端末３００からデビットカードを排出させる。
【０１１０】
なお、制御部１８０は、釣銭機２００にキャッシュアウトによる現金が払い出されたとき、ランプの光やスピーカからの音により、払い出されたことの報知を行う。ランプやスピーカは、ＰＯＳ端末１００または釣銭機２００に設けられ得る。さらに、制御部１８０は、釣銭機２００にキャッシュアウトによる現金が払い出されてから所定時間が経過しても現金が取り出されない場合、現金の取り忘れに気付かせるため、再度、光や音による報知を行う。
【０１１１】
以上、取出し忘れ防止の制御が行われることで、特に、商品の購入と一緒にキャッシュアウトを行った場合などに、顧客がデビットカードだけを受け取って現金を受け取り忘れることが防止される。
【０１１２】
なお、この取出し忘れ防止の制御は、より望ましくは、店員がバーコードリーダにより商品に付されたバーコードを読み取り、顧客が支払い専用のレジ装置（釣銭機）で代金の支払いを行う、いわゆるセミセルフレジの装置、および、顧客が、バーコードリーダにより商品に付されたバーコードを読み取り、且つ、支払い専用のレジ装置（釣銭機）で代金の支払いを行う、いわゆるセルフレジの装置で実行されるとよい。キャッシュアウトによる現金は、専用のレジ装置（釣銭機）に払い出されるので、顧客が、直接、払い出された現金を扱うことになるからである。
【０１１３】
なお、カード端末１００がペイメントカードを内部に取り込む構成である場合に、上述した取出し忘れ防止の制御とは逆に、カード端末３００からデビッドカードが排出された後に、釣銭機２００にキャッシュアウトによる現金が払い出されてもよい。さらには、デビットカードの排出と現金の払い出しが同時に行われてもよい。
【０１１４】
さらに、上記実施の形態では、第２操作表示部１２０がＰＯＳ端末１００と一体的に設けられた。しかしながら、第２操作表示部１２０が、ＰＯＳ端末１００と離され、顧客が第２操作表示部１２０の表示を見やすく操作を行いやすい位置に配置されてもよい。この場合、第２操作表示部１２０は信号ケーブル等でＰＯＳ端末１００と接続されるとよい。
【０１１５】
さらに、キャッシュアウトの払出金額に応じて店舗がキャッシュアウト用の手数料を設定してもよい。この場合、払出金額とキャッシュアウト用の手数料との合計金額が、キャッシュアウトのためにカード決済される金額となる。
【０１１６】
さらに、上記実施の形態では、キャッシュアウトの払出金額や商品代金に対してデビットカードによるカード決済が行われた。しかしながら、カード決済以外の電子決済が行われてもよい。たとえば、他の電子決済の例として、スマートホン等の携帯端末に口座に紐づくＱＲコード（登録商標）等のコードを表示させるようにし、このコードを読み取ることにより決済が行われるようにしてもよい。同様に、他の電子決済の例として、口座に生体認証の対象となる認証情報が紐付けられ、顧客に対して生体認証を行うことで決済が行われるようにしてもよい。この場合は、顧客は電子決済を行う端末に生体情報を入力するだけで、決済を行うことができ、デビットカードがなくとも決済が行える。また、デビットカードに生体情報を記憶させ、当該生体情報を利用して、電子決済を行う利用者を生体認証しても良い。
【０１１７】
さらに、上記実施の形態では、本発明の現金処理装置としてＰＯＳ端末１００が例示され、本発明の現金払出装置および現金払出システムとしてＰＯＳレジ装置１０が例示された。しかしながら、本発明は、たとえば、ホテル、病院、ゴルフ場などに設置され、顧客自身の操作により、代金の自動精算を行う自動精算機に適用することも可能である。また、本発明は、いわゆるセミセルフレジの装置およびセルフレジの装置に適用することもできる。セミセルフレジの場合、キャッシュアウトの払出金額の取得方法として、店員が、商品のバーコードを読み取る際、または、単独で、払出金額の入力（キャッシュアウトカードのバーコードの読み取り、金額の直接入力）を行ってもよいし、顧客が、支払い専用のレジ装置（釣銭機）の操作部で払出金額の入力を行ってもよい。
【０１１８】
この他、本発明の実施の形態は、特許請求の範囲に記載の範囲で適宜変更可能である。また、図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【符号の説明】
【０１１９】
１０  ＰＯＳレジ装置（現金払出装置、現金払出システム）
１００  ＰＯＳ端末（現金処理装置）
１１０  第１操作表示部（取得部）
１２０  第２操作表示部（報知部、受付部）
１４０  コードリーダ（取得部）
１５０  印字部
１６０  音出力部（報知部）
１８０  制御部
２００  釣銭機
２１０  紙幣処理ユニット（現金払出部）
２２０  硬貨処理ユニット（現金払出部）
Ｒ１  レシート（印字媒体）
【図１】
2019168959.tif 000003
【図２】
2019168959.tif 000004
【図３】
2019168959.tif 000005
【図４】
2019168959.tif 000006
【図５】
2019168959.tif 000007
【図６】
2019168959.tif 000008
【図７】
2019168959.tif 000009
【図８】
2019168959.tif 000010
【図９】
2019168959.tif 000011